(57)【要約】【課題】  記憶媒体に撮影データを記憶し、記憶されたデータを順次任意の場所に送信し、記憶媒体から消去した場合でも、従来の転送を行わないカメラと操作性が同じで、再生時の表示品位も損なわないカメラを実現する。【解決手段】  撮影した画像ファイルを、ＤＣＦ規格に準処して作成し、この中に埋め込まれたサムネイル部分を読み出して転送して表示する手段を設ける。ファイルの読み出しを、サムネイルを読み終えたところで、読み出しを中止する機能を設け、詳細に表示する場合や、拡大して表示する場合は、途中で読み出しを中止せず、ファイルを最後まで読み込んで、本画像を表示するようにする。【選択図】  図１
2007081965.tif 000002
【特許請求の範囲】
【請求項１】
任意のデータを送受信可能な無線通信回路を内蔵、又は着脱可能で、撮影データを一時記憶するメモリーと着脱可能な記録媒体を具備した電子カメラと、前記カメラとは物理的に独立し、少なくとも１つ以上の記憶媒体とを具備したＰＣ等、無線でアクセス可能な前記記憶媒体間で、前記電子カメラにて撮影された画像データー等を無線通信で送信し、送信完了後、前記電子カメラに装着された着脱可能な記録媒体に記憶されている画像データー等を削除するカメラにおいて、画像データー等を表示する表示回路を備え、画像を再生表示する際、前記電子カメラ内の記憶媒体に画像が無い場合前記ＰＣ等から、ファイルの最初の方に存在するサムネール部分までを前記一時記憶メモリーに転送し、前記表示回路に表示することを特徴とする電子カメラ。
【請求項２】
請求項１の電子カメラにおいて、表示画像の変更要求手段を備え、前記表示回路に表示させようとしたとき、前記変更要求手段からの、別の画像表示要求が無い場合は、サムネイルは表示せず、ファイルを最後まで前記一時記憶メモリーに転送し、本画像を前記表示回路に表示することを特徴とする電子カメラ。
【請求項３】
請求項１又は２の電子カメラにおいて、撮影データを前記一時記憶メモリーに記憶した後、前記着脱可能な記録媒体に記録すると同時に、前記無線でアクセス可能な前記記憶媒体に転送を行うことを特徴とする電子カメラ。
【発明の詳細な説明】
【技術分野】
【０００１】
本発明は、主として無線通信システムを具備した電子カメラに関わり、特に撮影した画像を再生表示する場合の制御方法に関する。
【背景技術】
【０００２】
従来の電子カメラには、次に示すような無線送受信機能を施したものがある。
（特許文献１参照）
前記特許文献１では、電子カメラにて撮影された画像を一旦電子カメラ内に内蔵又は、装着されたメモリーに記憶後、前記メモリーに記憶された画像データを無線伝送手段を用いて、前記電子カメラとは、物理的に独立したファイルサーバー（ＰＣ、ワークステーション等）へ送信する。
【０００３】
この場合、前記撮影画像の無線伝送は、撮影動作期間外に実施すること、前記メモリー内に記憶された画像データの前記ファイルサーバーへの無線伝送が成功した場合、前記メモリー内の当該画像データを削除し、画像を再生する時は、カメラ内とファイルサーバーの中から画像を検索し、送信時と異なるファイルサイズにファイルサイズを変換して通信し表示する機能を具備していることを特徴としている。
【特許文献１】特開２００３−２６４７２９号公報
【発明の開示】
【発明が解決しようとする課題】
【０００４】
以上説明したように、従来の無線通信機能を具備した電子カメラでは、前記電子カメラ内の内蔵又はリムーバブルな記憶媒体に撮影データを記憶し、前記記憶媒体に記憶されたデータを順次任意の場所に送信し、送信が成功した撮影データを順次前記電子カメラ内の記憶媒体から消去し、画像再生時はカメラにファイルが無い場合、サーバー内のファイルカメラに転送要求する。このとき転送時間を短くするために、ファイルサイズを（小さく）変換して受信し表示するようにしているが、ファイルサイズを変換するのに時間を要するため、転送時間は確かに短くなるが、転送時間の以外の無駄な時間が発生してしまい、効率が悪く、結果的に操作に対するレスポンスが悪い上に、表示の品位も悪くなるという欠点があった。
【課題を解決するための手段】
【０００５】
上記欠点を解決する手段として、電子カメラにて撮影された画像ファイルは、ＤＣＦ規格に準処して作成し、この中に埋め込まれたサムネイル部分を読み出して転送して表示する手段を設ける。このサムネイルは、ファイルの最初の部分に有るので、ファイルの読み出しを、ファイルの最初から開始し、サムネイルを読み終えたところで、読み出しを中止する機能を設ける。詳細に表示する場合や、拡大して表示する場合は、途中で読み出しを中止せず、ファイルを最後まで読み込んで送信し、画像の本体（以後、本画像と称す）を表示するようにする。
【発明の効果】
【０００６】
このような構成にすることで、前記記憶媒体に記憶されたデータを、順次任意の場所に前記無線通信機能で送信し、送信が成功した撮影データを順次前記電子カメラ内の記憶媒体から消去した場合であっても、ファイルをサーバーから転送する際に、ファイルを途中まで読み、サムネイルを読み終えたところで、読み出しを中止するようにしたため、ファイルサイズの変換のための無駄な時間が発生する事がないので、高速に転送する事が出来、更に高品位な表示を実現する事が出来る。
【発明を実施するための最良の形態】
【０００７】
本発明では、電子カメラので撮影する際、次の２つのパラメーターを設定する手段を設ける。
【０００８】
１．カメラ内に消去せずに残す本画像の枚数（最低１）
２．サムネイルのみの状態で保存する枚数（最低０）
この２つのパラメーターの具体的な設定の方法などは、すでに公知の何らかの方法で行うものとしここでは説明を省略する。
【０００９】
また、撮影動作や回路ブロック図等も公知の技術であるので、説明を省略する。
【００１０】
ここで、撮影した画像データーの流れを、図を用いて説明する。
【００１１】
図１において、
１０１は、撮影画像を電気信号に変換するイメージセンサー。
【００１２】
１０２は、イメージセンサーからの信号をファイル化するための画像処理回路。
【００１３】
１０３は、画像処理の済んだファイルの一時記憶するためのメモリー。
【００１４】
１０４は、画像などを表示するためのＴＦＴ表示回路。
【００１５】
１０５は、着脱可能なメモリーカード、ハードディスクなどの記録媒体。
【００１６】
あるいはインターフェイスを含んだモジュールでここからサーバーに接続するような構成にしても良い。
【００１７】
１０６は、ＵＳＢやＩＥＥＥ１３９４等の入出力インターフェイス。
【００１８】
これは、高速に通信を行える物であれば、これらの規格に拘ることなく他の規格でも良い。
【００１９】
１０７は、ＣＰＵとメモリー、前記入出力インターフェイスと通信を行うインターフェイス回路を含んだ無線通信回路。
【００２０】
ＣＰＵとメモリーを内蔵しているので撮影動作とは無関係に任意のデーターを無線で、高速に送受信を行うことが出来る。また、この通信回路は、カメラに内蔵させても良いし、着脱可能としても良い。
【００２１】
１０８は、ファイルサーバーで、１つ以上の記録媒体を具備しているパーソナルコンピューター（ＰＣと表現することもある）等で構成され、無線通信装置を含んでいる、又は、ＬＡＮやインターネットに接続され、無線通信装置は別の場所でも良い。これは、電子カメラとは物理的に独立した無線通信でアクセス可能な外部記憶装置として機能する。
【００２２】
撮影した画像は、イメージセンサー１０１で電気信号に変換され、画像処理回路１０２で処理を行い、一旦電子カメラ内に内蔵したメモリー１０３を経由し、装着されたメモリカード１０５に記憶する。
【００２３】
その後、前記メモリカード１０５に記憶された画像データを読み出し、メモリー１０３、入出力インターフェイス１０６、を経由し、無線通信回路１０７より、前記電子カメラとは、物理的に独立したファイルサーバー１０８（ＰＣ、ワークステーション等）へ送信する。
【００２４】
通信を行うプロトコルは、ＦＴＰやＨＴＴＰなどのプロトコルでも良いが、他のプロトコルであっても良い。
【００２５】
送信が成功した撮影データを順次前記電子カメラ内の記憶媒体であるメモリーカード１０５から消去する。
【００２６】
このとき、前記２つのパラメーターに従い転送が完了しても、消去しないで指定枚数の画像を残す場合もある。
【００２７】
前記残す枚数の最低値を０ではなく１に設定しておくことにより、再生頻度の高い最後に撮影した画像を必ずメモリーカード１０５に残すようにするが、転送は全てのデーターに対して行う。
【００２８】
サムネイルは、ファイルの構造として図２（ａ）のようにファイルの最初の部分に画像の情報ヘッダ次にサムネイル、本画像のような構成にすることにより、これの途中までを、取り出し図２（ｂ）のように読み出すようにすることによって、変換作業が必要なくなる。
【００２９】
データーの送信はメモリーカード１０５に記憶させてからと説明したが、メモリーカード１０５に記憶する前に、メモリー１０３から直接、入出力インターフェイス１０６、を経由し、無線通信回路１０７へデーターを送っても良く、この場合メモリーカード１０５に記憶させる前にサーバー１０８に転送が完了した場合で、メモリーカード１０５に記憶前のデーターが、前記残す枚数より多い枚数がメモリー１０３に残っている場合は、転送が完了したデーターを、メモリーカード１０５に記憶しなくても良い。
【００３０】
電子カメラ内のメモリーカード１０５から画像を消去してしまっている状態の時画像の再生を行う場合、従来なら再生できないのだが、本発明では、再生動作をさせたとき、まず最後に撮影した画像をメモリーカード１０５からメモリー１０３に読み出し、表示回路１０４に表示する。
【００３１】
別の画像を表示するための手順を図３に示す。
【００３２】
このフローでは、表示させようとする画像を、メモリーカード１０５とサーバー１０８の中からファイルを検索する（３０１）、画像の所在を調べ（３０２）メモリーカード１０５にあるファイルを表示させる場合は、メモリーカード１０５からファイルの読み出しを開始（３０３）し、サーバー１０８のファイルを表示する際は、サーバー１０８より無線通信回路１０７、入出力インターフェイス１０６を経由し、サーバーのファイルの読み出し、受信を開始（３０４）し、メモリー１０３に格納する、ファイルの比較的最初の部分に存在するサムネールを読み終えたかどうか確認し（３０５）、読み終えていれば、この時点で表示画像の変更要求手段（不図示）からの、別の画像の表示要求を（３０６）調べ、要求が無ければ、ファイルの最後まで読んでから（３０９）本画像を表示回路１０４に表示（３１０）する。前記、サムネール部分を読み終えた時点で別の画像の表示要求があった場合は、その時点でファイルの読み出しを中止（３０７）し、表示回路１０４には、サムネール画像を表示（３０８）させ、３０１に戻って表示すべき画像の検索をする。
【００３３】
表示している画像を拡大表示する際は現在表示中の本画像がメモリー１０３にあるので、それを拡大表示すればよい。メモリー１０３に読み出したデーターが一杯になった場合は、読み出しの古い順に消去し、新しいデーターを記憶させればよい。
【００３４】
また、再生表示を終了した場合は、他の記憶部に転送済で、メモリー１０３に読み出してきた、画像は破棄する。
【図面の簡単な説明】
【００３５】
【図１】データーの流れに注目して表したブロック図
【図２】ファイル構造を示した図
【図３】本発明の再生手順を示したフローチャート
【符号の説明】
【００３６】
１０１  イメージセンサー
１０２  画像処理回路
１０３  メモリー
１０４  ＴＦＴ等の表示回路
１０５  着脱可能なメモリーカード
１０６  入出力インターフェイス
１０７  無線通信回路
１０８  ファイルサーバー
【図１】
2007081965.tif 000003
【図２】
2007081965.tif 000004
【図３】
2007081965.tif 000005